(57)【特許請求の範囲】
【請求項１】
上面に商品を載置する棚板と、棚板上を幅方向に仕切る仕切部材とを備え、棚板の後端側に仕切部材の後端側を係止する係止部を設け、仕切部材の後端側には係止部と係合する係合部を設け、仕切部材の前端側には棚板の前端側から上方に延びる部分または棚板の上面に当接する当接部を設けたショーケースの棚構造において、
前記係止部を、上面の高さが棚板の上面の高さと同一または棚板の上面の高さよりも低くなるよう形成するとともに、仕切部材の係合部の前後方向の移動を規制するよう棚板の上面後端側に幅方向に延びる溝で構成し、
前記溝に仕切部材の係合部が嵌入した状態で仕切部材が係合部を中心に上下方向に回転可能に設けられた
ことを特徴とするショーケースの棚構造。
【請求項２】
前記溝を、底部側の幅寸法よりも上部側の幅寸法が小さくなるように形成し、
溝が形成される部材を、溝の上部側の幅寸法を拡大可能な弾性部材から構成した
ことを特徴とする請求項１記載のショーケースの棚構造。
【請求項３】
前記当接部を、棚板の前端側から上方に延びる部材に当接するように構成し、
仕切部材を、少なくとも一部に弾性を有し、前後方向に伸縮可能に構成した
ことを特徴とする請求項１または２記載のショーケースの棚構造。
【請求項４】
前記係合部及び当接部の少なくとも一方を、所定長さ幅方向に延びるように構成した
ことを特徴とする請求項１乃至３の何れか１項記載のショーケースの棚構造。
【発明の詳細な説明】
【技術分野】
【０００１】
本発明は、店舗に設置されるショーケースの棚構造に関するものである。
【背景技術】
【０００２】
従来、この種のショーケースの棚構造としては、上面に商品を載置する棚板と、棚板上を幅方向に仕切る仕切部材とを備え、棚板の後端側に仕切部材の後端側を係止する係止部を設け、仕切部材の後端側には係止部と係合する係合部を設け、仕切部材の前端側には棚板の前端側から上方に延びる部分に当接する当接部を設けたものが知られている（例えば、特許文献１参照）。
【特許文献１】特開２００６−１３０１５２号公報
【発明の開示】
【発明が解決しようとする課題】
【０００３】
しかしながら、従来のショーケースの棚構造では、仕切部材の後端側を係止するための係止部が棚板の上面よりも上方に突出しているため、棚板の後端側及び棚板の後端とショーケースの商品収納部の背面側に設けられた背面板との間に商品を載置することはできず、棚板上に載置可能な商品の数が制限される。
【０００４】
本発明は前記問題点に鑑みてなされたものであり、その目的とするところは、商品を効率的に載置することのできるショーケースの棚構造を提供することにある。
【課題を解決するための手段】
【０００５】
本発明は前記目的を達成するために、上面に商品を載置する棚板と、棚板上を幅方向に仕切る仕切部材とを備え、棚板の後端側に仕切部材の後端側を係止する係止部を設け、仕切部材の後端側には係止部と係合する係合部を設け、仕切部材の前端側には棚板の前端側から上方に延びる部分または棚板の上面に当接する当接部を設けたショーケースの棚構造において、前記係止部を、上面の高さが棚板の上面の高さと同一または棚板の上面の高さよりも低くなるよう形成するとともに、仕切部材の係合部の前後方向の移動を規制するよう棚板の上面後端側に幅方向に延びる溝で構成し、前記溝に仕切部材の係合部が嵌入した状態で仕切部材が係合部を中心に上下方向に回転可能に設けられた構成となっている。
【０００６】
これにより、棚板の後端側及び棚板の後端と背面板との間に商品が載置可能となることから、棚板の全面及び棚板の後端と背面板との間に商品が載置可能となる。
【発明の効果】
【０００７】
本発明によれば、棚板の全面及び棚板の後端と背面板との間に商品を載置することができるので、棚板上に商品を効率的に載置することが可能となる。
【発明を実施するための最良の形態】
【０００８】
図１乃至図８は本発明の一実施形態を示すもので、図１はショーケースの全体斜視図、図２はショーケースの側面断面図、図３は商品棚の要部斜視図、図４は商品棚の要部分解斜視図、図５は仕切部材の取り付け方法を示す商品棚の側面断面図、図６は仕切部材の他の取り付け方法を示す商品棚の側面断面図、図７は仕切部材が取り付けられ、商品が載置された状態を示す商品棚の側面断面図、図８は高さ寸法の小さい商品が積み重ねて載置された状態を示す商品棚の側面断面図である。
【０００９】
この棚構造を有するショーケースは、前面に開口部が設けられたショーケース本体１０を備えている。
【００１０】
ショーケース本体１０は、開口部以外の前面側、上面側、背面側及び底面側が断熱壁１１によって覆われ、左右両側面側がそれぞれ断熱壁１２及びガラス板１３によって覆われている。ショーケース本体１０は、開口部の背面側に商品収納部２０が設けられ、商品収納部２０の下方に機械室３０が設けられている。
【００１１】
商品収納部２０は、断熱壁１１と間隔をおいて設けられた上面板２１、背面板２２、底板２３、断熱壁１２及びガラス板１３によって囲まれており、その内部に商品Ａが収納される。また、上面板２１、背面板２２及び底板２３と断熱壁１１との間には通風路２４が形成され、通風路２４には商品収納部２０の空気を流通させるための送風機２５と、通風路２４を流通する空気を冷却するための冷却器２６が設けられている。
【００１２】
機械室３０には、冷却器２６と銅製またはステンレス製の配管によって接続された圧縮機３１及び凝縮器３２や、凝縮器３２を流通する空気と熱交換する空気を流通させるための凝縮器用送風機３３等、商品収納部２０を冷却するための機器が設けられている。
【００１３】
このように構成されたショーケースにおいて、送風機２５によってショーケース本体１０の開口部の下端に設けられた空気吸入口２４ａから吸入された空気は、通風路２４を流通して冷却器２６によって冷却された後、開口部の上端に設けられた空気吐出口２４ｂから吐出される。これにより、ショーケース本体１０の開口部にはエアカーテンが形成され、商品収納部２０が冷却される。
【００１４】
また、商品収納部２０には、本発明の商品棚４０が上下方向に複数設けられている。各商品棚４０は、商品Ａを載置するための棚板４１と、棚板４１上を幅方向に仕切るための仕切部材４２と、仕切部材４２の後端側を係合させるための係止部材４３とを備えている。
【００１５】
棚板４１は、鋼板をプレス加工等することにより略矩形状に形成され、幅方向一対の棚受け４１ａを介して商品収納部２０に取り付けられるようになっている。また、棚板４１の前端側には、プライスカード等を保持するためのカード保持部４１ｂと棚板４１上の商品Ａの前方への落下を防止するための商品落下防止板４１ｃがそれぞれ棚板４１の幅方向に亘って設けられている。
【００１６】
各仕切部材４２は、弾性を有する金属製のワイヤ状部材からなり、ワイヤ状部材を前後方向に亘って上下方向に波形に形成することにより、上側に位置する上方仕切部４２ａと下側に位置する下方仕切部４２ｂとが前後方向に交互に設けられている。また、各仕切部材４２は、前端及び後端からそれぞれワイヤ状部材が下方仕切部４２ｂよりも下方に延びるように設けられ、それぞれの端部に幅方向に延びるワイヤ状部材の幅方向中央部を溶接等によって固定することにより、係止部材４３に係合する係合部４２ｃが後端側に設けられ、商品落下防止板４１ｃの背面側に当接する当接部４２ｄが前端側に設けられている。このとき、各仕切部材４２は係合部４２ｃ及び当接部４２ｄの幅方向に延びるワイヤ状部材によって棚板４１上に自立可能に設けられている。また、棚板４１上に自立した各仕切部材４２は、棚板４１の上面と下方仕切部４２ｂとの間に所定の隙間を有している。更に、仕切部材４２は、係合部４２ｃから当接部４２ｄまでの長さが商品落下防止板４１ｃの背面と係止部材４３との距離よりも大きくなるように設けられ、商品落下防止板４１ｃの背面と係止部材４３との距離よりも小さくなるところまで弾性変形可能に設けられている。また、仕切部材４２は、前後方向に所定以上の大きさの力を加えて圧縮または引張することにより、ワイヤ状部材の塑性変形によって係合部４２ｃから当接部４２ｄまでの長さが任意に変更可能となっている。
【００１７】
係止部材４３は、棚板４１の後端側に棚板４１の幅方向に亘って延びるように設けられ、仕切部材４２の係合部４２ｃを嵌入可能な溝４３ａが上面に幅方向に亘って設けられている。係止部材４３は、溝４３ａ上部の開口幅寸法が底部の幅寸法よりも小さく形成され、溝４３ａ上部の開口幅寸法を拡大可能なように弾性を有する部材によって形成されている。また、係止部材４３の溝４３ａは、内壁が断面円形状に形成され、仕切部材４２の幅方向に延びる円柱状に形成された係合部４２ｃが嵌入した状態で、仕切部材４２が係合部４２ｃを中心に上下方向に回転可能に設けられている。つまり、仕切部材４２は、係合部４２ｃが溝４３ａに係合した状態のまま前端側を持ち上げることにより、棚板４１上の清掃や仕切部材４２の左右方向の移動が可能となっている。更に、係止部材４３は、棚板４１の後端側に取り付けられた状態で、上面の高さが棚板４１の上面の高さと同一となるように設けられている。
【００１８】
以上のように構成されたショーケースの棚構造において、棚板４１上に仕切部材４２を取り付ける場合には、図５に示すように、仕切部材４２の係合部４２ｃを係止部材４３の溝４３ａに嵌入した状態で、仕切部材４２を弾性変形によって前後方向に圧縮して当接部４２ｄを商品落下防止板４１ｃの背面側に当接させる。
【００１９】
また、棚板４１上に仕切部材４２を取り付ける別の方法として、図６に示すように、仕切部材４２の当接部４２ｄを商品落下防止板４１ｃの背面側に当接させた状態で、仕切部材４２を弾性変形によって前後方向に圧縮して係合部４２ｃを係止部材４３の溝４３ａに嵌入する。
【００２０】
前後方向に圧縮された状態で棚板４１に取り付けられた仕切部材４２は、反発力によって棚板４１の係止部材４３の４３ａと商品落下防止板４１ｃの背面側との間に保持される。また、仕切部材４２は係合部４２ｃ及び当接部４２ｄによって棚板４１の前端側及び後端側に対して直角に棚板４１上に配置され、図７に示すように、幅方向に並ぶ仕切部材４２と仕切部材４２の間に複数の商品Ａが前後方向に整列した状態で配置される。このとき、高さ寸法の小さい商品Ａは、下方仕切部４２ｂによって幅方向の位置ずれが規制され、前後方向に整列させることが可能となる。また、高さ寸法の小さい商品Ａを上下方向に複数積み重ねて棚板４１上に載置する場合には、図８に示すように、下方仕切部４２ｂによって下側の商品Ａの幅方向への位置ずれが規制され、上部仕切部４２ａによって上側の商品Ａの幅方向への位置ずれが規制されるため、上下方向に積み重ねた状態で商品Ａを前後方向に整列させることも可能である。更に、仕切部材４２は、係合部４２ｃと当接部４２ｄによって棚板４１に取り付けられることから、棚板４１上に商品Ａが載置された状態においても着脱が可能である。
【００２１】
また、棚板４１の上面と下方仕切部４２ｂとの間には隙間が設けられていることから、載置されている商品Ａを取り除くことにより、仕切部材４２を取り外すことなく棚板４１上を清掃することが可能となる。
【００２２】
また、仕切部材４２は係合部４２ｃ及び当接部４２ｄによって棚板４１に取り付けられることから、棚板４１上が化粧用のシートによって覆われている場合でも、仕切部材４２を棚板４１に取り付けることが可能となる。
【００２３】
また、仕切部材４２に前後方向に所定以上の力を加えてワイヤ状部材を塑性変形させることにより仕切部材４２の前後方向の寸法が変更可能となることから、前後方向の寸法が異なる棚板４１にも同じ仕切部材４２を取り付けることが可能となる。
【００２４】
このように、本実施形態のショーケースの棚構造によれば、係止部材４３を、上面の高さが棚板４１の上面の高さと同一となるように形成したので、棚板４１の全面及び棚板４１の後端と背面板２２との間にも商品Ａを載置することができ、棚板４１上に商品Ａを効率的に載置することが可能となる。
【００２５】
また、係止部材４３を、仕切部材４２の係合部４２ｃの前後方向の移動を規制するようにしたので、係止部材４３に対して仕切部材４２の係合部４２ｃが外れることを防止することができ、棚板４１に対する仕切部材４２の位置ずれを確実に防止することができる。
【００２６】
また、仕切部材４２の係合部４２ｃを嵌入可能な溝４３ａを棚板４１の幅方向に延びるように設けたので、棚板４１の幅方向任意の位置に仕切部材４２を取り付けることができ、効率的に商品Ａを棚板４１上に並べることが可能となる。
【００２７】
また、溝４３ａの底部側の幅寸法よりも上部側の幅寸法が小さくなるように溝４３ａを形成したので、溝４３ａに嵌入している仕切部材４２の係合部４２ｃの上方への移動を規制することができ、棚板４１に対する仕切部材４２の位置ずれを防止することが可能となる。
【００２８】
また、仕切部材４２を、弾性を有し、前後方向に伸縮可能に構成したので、仕切部材４２の前後方向の寸法が変更可能となり、前後方向の寸法が異なる棚板４１に仕切部材４２を取り付けることができ、仕切部材４２の汎用性を向上させることが可能となる。また、仕切部材４２の圧縮による反発力によって棚板４１に仕切部材４２が取り付けられることから、棚板４１に仕切部材４２がより確実に保持される。
【００２９】
また、係合部４２ｃ及び当接部４２ｄを所定長さ幅方向に延びるように構成したので、仕切部材４２を棚板４１上に自立させることができ、仕切部材４２の取り付け及び移動を容易に行うことが可能となる。
【００３０】
尚、前記実施形態では、仕切部材４２を前後方向に圧縮した状態で、係止部材４３の溝４３ａに係合部４２ｃを嵌入して商品落下防止板４１ｃの背面に当接部４２ｄを当接させ、仕切部材４２の反発力によって棚板４１の係止部材４３の溝４３ａと商品落下防止板４１ｃの背面側との間に仕切部材４２を保持するようにしたものを示したが、仕切部材４２を前後方向に引張した状態で、係止部材４３の溝４３ａに係合部４２ｃを嵌入して商品落下防止板４１ｃの前面に当接部４２ｄを当接させ、仕切部材４２の反発力によって棚板４１の係止部材４３の溝４３ａと商品落下防止板４１ｃの前面側との間に仕切部材４２を保持するようにしてもよい。
【００３１】
また、前記実施形態では、ワイヤ状部材によって形成された仕切部材４２の係合部４２ｃを嵌入するための溝４３ａを係止部材４３に設けたものを示したが、凹状に設けられた仕切部材の係合部と係合可能な突条を係止部材に幅方向に延びるように設け、係止部材に対して仕切部材の係合部を係止するようにしてもよい。
【００３２】
また、前記実施形態では、係止部材４３を棚板４１の後端側に取り付けた状態で、係止部材４３の上面の高さが棚板４１の上面の高さと同一となるようにしたものを示したが、係止部材４３の上面の高さが棚板４１の上面の高さよりも低くてもよく、係止部材４３が棚板４１の上面よりも突出していなければよい。
【００３３】
また、前記実施形態では、係止部材４３を棚板４１の後端側に設けたものを示したが、図９に示すように、棚板４１の上面の高さと同一または棚板４１の高さよりも低くなる位置で背面板２２に設けるようにしてもよい。
【００３４】
また、前記実施形態では、仕切部材４２の前後方向の寸法を、商品落下防止板４１ｃの背面と係止部材４３の溝４３ａとの距離よりも大きくなるように形成し、前後方向に圧縮された仕切部材４２の反発力によって、仕切部材４２を係止部材４３の溝４３ａと商品落下防止板４１ｃの背面側との間に支持するようにしたものを示したが、仕切部材４２の前後方向の寸法を商品落下防止板４１ｃの背面と係止部材４３の溝４３ａとの距離よりも小さくなるように形成し、仕切部材４２の当接部４２ｄを棚板４１の上面に当接させるようにしてもよい。
【００３５】
また、前記実施形態では、仕切部材４２の係合部４２ｃを幅方向に延びる円柱状に形成し、係止部材４３の溝４３ａの内壁を断面円形状に形成することにより、係止部材４３の溝４３ａに対して仕切部材４２の係合部４２ｃの前後方向の移動を規制するようにしたものを示したが、仕切部材４２の係合部４２ｃの前後方向の移動を規制可能な溝４３ａの形状及び溝４３ａに係合可能な係合部４２ｃの形状であればよい。更に、仕切部材４２の係合部４２ｃに凹部を形成し、係止部材４３に凸部を形成し、係止部材４３の凸部に仕切部材４２の係合部４２ｃの凹部を係合させることにより、仕切部材４２の係合部４２ｃの前後方向の移動を規制するようにしてもよい。
【図面の簡単な説明】
【００３６】
【図１】本発明の一実施形態を示すショーケースの全体斜視図
【図２】ショーケースの側面断面図
【図３】商品棚の要部斜視図
【図４】商品棚の要部分解斜視図
【図５】仕切部材の取り付け方法を示す商品棚の側面断面図
【図６】仕切部材の他の取り付け方法を示す商品棚の側面断面図
【図７】仕切部材が取り付けられ、商品が載置された状態を示す商品棚の側面断面図
【図８】高さ寸法の小さい商品が積み重ねて載置された状態を示す商品棚の側面断面図
【図９】その他の例を示す商品棚の側面断面図
【符号の説明】
【００３７】
４０…商品棚、４１…棚板、４１ｃ…商品落下防止板、４２…仕切部材、４２ｃ…係合部、４２ｄ…当接部、４３…係止部材、４３ａ…溝。
【図１】
0004996396.tif 000002
【図２】
0004996396.tif 000003
【図３】
0004996396.tif 000004
【図４】
0004996396.tif 000005
【図５】
0004996396.tif 000006
【図６】
0004996396.tif 000007
【図７】
0004996396.tif 000008
【図８】
0004996396.tif 000009
【図９】
0004996396.tif 000010